(57)【特許請求の範囲】
【請求項１】
レーザ光源からのレーザ光を被照射部に照射するレーザ装置において、レーザ照射の指令信号に対してレーザ照射可能状態とするための選択スイッチを含む操作スイッチが配置されたタッチパネル式のディスプレイを持ち、該ディスプレイのタッチパネル全面をレーザ照射可能状態からレーザ照射不可状態へ切換えるための切換スイッチとしたことを特徴とするレーザ装置。
【請求項２】
請求項１のレーザ装置において、前記レーザ照射不可状態とはレーザ照射の指令信号が入力されたとしても前記レーザ光を出射するレーザ光源に対して電力を供給しないことを特徴とするレーザ装置。
【請求項３】
レーザ光源からのレーザ光を被照射部に照射するためのレーザ照射手段と、レーザ照射の指令信号によって該レーザ照射手段からのレーザ照射を可能とするモードを選択する選択手段と、レーザ照射等を設定するための操作スイッチが配置されたタッチパネル式のディスプレイと、前記選択手段によりレーザ照射を可能とするモードが選択されているときには前記ディスプレイのタッチパネル全面をレーザ照射不可状態とするモードへの切換手段として認識する制御手段と、を備えるレーザ装置。
【発明の詳細な説明】
【０００１】
【発明の属する技術分野】
本発明は、治療用等に使用されるレーザ装置に関する。
【０００２】
【従来技術】
医療分野で使用されるレーザ装置は、レーザ光の波長や設定出力により様々な治療に利用されている。このようなレーザ装置では、レーザ照射のトリガ信号の入力がなされたときにレーザ照射を可能とするレーザ照射可能状態（READY状態）と、術者が誤ってレーザ照射のトリガ信号を発信した場合でも、レーザ照射が行われないようにロックを掛けた状態である待機状態（STANDBY状態）の２種類の作動状態が設けられている。この２種類の作動状態は、通常、操作パネル上のスイッチにより選択的に切換えられるようになっている。
【０００３】
【発明が解決しようとする課題】
しかしながら、一旦READY状態とした後にSTANDBY状態へ移行する際には、操作パネルに配置されている様々なスイッチの中からSTANDBY状態へ切換えるスイッチを探して操作する必要があり、オペレータにとって手間であった。特に緊急時などは術者や補助者等による素早い対応が必要とされるが、緊急停止やSTANDBY状態とすための専用のスイッチが何れであるかを全ての者が理解すると共に、これを探し出して操作しなければならないことは、即座の対応に難しい。
【０００４】
本発明は上記従来技術を鑑み、レーザ照射可能状態（READY状態）から容易にレーザ待機状態（STANDBY状態）に移行することができるレーザ装置を提供することを課題とする。
【０００５】
【課題を解決するための手段】
上記課題を解決するために、本発明は以下のような構成を備えることを特徴とする。
【０００６】
（１）  レーザ光源からのレーザ光を被照射部に照射するレーザ装置において、レーザ照射の指令信号に対してレーザ照射可能状態とするための選択スイッチを含む操作スイッチが配置されたタッチパネル式のディスプレイを持ち、該ディスプレイのタッチパネル全面をレーザ照射可能状態からレーザ照射不可状態へ切換えるための切換スイッチとしたことを特徴とする。
【０００７】
（２）  （１）のレーザ装置において、前記レーザ照射不可状態とはレーザ照射の指令信号が入力されたとしても前記レーザ光を出射するレーザ光源に対して電力を供給しないことを特徴とする。
【０００８】
（３）  レーザ光源からのレーザ光を被照射部に照射するためのレーザ照射手段と、レーザ照射の指令信号によって該レーザ照射手段からのレーザ照射を可能とするモードを選択する選択手段と、レーザ照射等を設定するための操作スイッチが配置されたタッチパネル式のディスプレイと、前記選択手段によりレーザ照射を可能とするモードが選択されているときには前記ディスプレイのタッチパネル全面をレーザ照射不可状態とするモードへの切換手段として認識する制御手段と、を備える。
【０００９】
【発明の実施の形態】
以下、本発明について一実施形態を挙げ、図面に基づいて説明する。図１は実施形態であるレーザ装置の外観略図である。
【００１０】
レーザ装置本体１の正面には大型の液晶（ＬＣＤ）パネル２が設けられており、ＬＣＤパネル２には各種設定条件が表示されるとともに、術者がＬＣＤパネル２上に触れることで各種の設定が可能なタッチパネルとなっている。レーザ装置本体１の上部からは治療用ハンドピース３までファイバケーブル４と通信ケーブル５が伸延している。また、レーザ装置本体１の前側には緊急停止用のスイッチ６が設けられており、このスイッチ６を押すとレーザ装置本体１への給電がシャットダウンされる。
【００１１】
図２は光学系及び制御系の要部構成の概略図である。治療用レーザ光を出射するレーザ光源１０には複数の半導体レーザ（ダイオードレーザ）光源を利用しており、各半導体レーザ光源を出射したレーザ光は集光レンズ１２ａによりファイバ１３ａの端面にそれぞれ集光され、ファイバ１３ａ内に入射する。ファイバ１３ａは出射端面側で束ねられており、各半導体レーザから出射される各レーザ光はファイバ出射側でまとめられ、高出力のレーザ光として治療に利用される。本実施形態ではレーザ光源から出射される治療用レーザ光に８００〜８２０ｎｍの波長の近赤外光を利用しており、この治療用レーザ光は毛根を破壊するレーザ脱毛等の治療に使用できる。
【００１２】
エイミング（照準）光源１１から出射するエイミング光は、集光レンズ１２ｂにより集光され、ファイバ１３ｂに入射する。ファイバ１３ｂの出射側端面はファイバ１３ａの出射側端面と共に束ねられており、エイミング光はファイバ１３ｂを出射後、治療用レーザ光と同様の光路を進行する。本実施形態ではエイミング光束には６２０〜６５０ｎｍの波長の赤色可視光を利用している。
【００１３】
束ねられたファイバ１３ａ,１３ｂの出射端面（ファイババンドル部）から出射するレーザ光（治療用レーザ光及びエイミング光）は集光レンズ群１４により集光され、ファイバケーブル４に入射する。ファイバケーブル４は治療用ハンドピース３に接続されており、レーザ光はファイバケーブル４を介してハンドピース３に入射する。
【００１４】
ハンドピース３内にはガルバノミラー１６ａ，１６ｂが設けられており、ガルバノミラー１６ａ，１６ｂがＸＹ方向の各々に駆動することで、レーザ光の照射位置を移動させることができ、広範囲に渡って治療用レーザ光を走査（スキャン）することができる。ファイバケーブル４からハンドピース３内に入射したレーザ光は、コリメータレンズ１５により平行光束にされた後、ガルバノミラー１６ａ，１６ｂでＸＹ方向に振られ、集光レンズ１７により治療部位に集光する。ガラス１８は治療部位に直接当接され、集光レンズ１７による集光位置が治療部位上に位置するように設けられている。また、その大きさはレーザ光の走査領域を網羅する大きさを持ち、術者が治療部位に押し当てることで治療部位を一様に平坦な面にし、均一なレーザ照射を行うことができる。
【００１５】
制御部２０には治療条件等を設定するためのＬＣＤパネル２、ガルバノミラー１６ａ，１６ｂの駆動制御信号等を送受信する通信ケーブル５、レーザ照射の照射信号を出力するフットスイッチ２１等が接続されている。装置がREADY状態にあるとき、フットスイッチ２１からの照射信号（トリガ信号）が制御部２０に送信されると、制御部２０はガルバノミラー１６ａ，１６ｂを駆動制御しながら、レーザ光を出射することでレーザ光を走査させ、広い領域に対してレーザ照射を行うことができる。
【００１６】
図３はＬＣＤパネル２に表示される条件設定画面の一表示例である。画面左側には、レーザエネルギー密度（Ｊ／ｃｍ2）を表示するエネルギー密度表示部３０ａ、レーザ光の照射パワー（Ｗ）を表示する照射パワー表示部３０ｂ、レーザスポットの照射時間（ｍｓ）を表示する照射時間表示部３０ｃ、繰り返し照射する場合のインターバル時間（ｓ）を表示するインターバル表示部３０ｄ等の種々の設定項目が設けられている。これらの設定項目を変更する場合は、変更したい設定項目（３０ａ〜３０ｄ）を選択した後、UP/DOWNスイッチ３１を操作することにより設定値を増減し、変更することができる。
【００１７】
画面右側にはREADY状態のモードとSTANDBY状態のモードを選択するREADYスイッチ３２ａ、STANDBYスイッチ３２ｂ、レーザ走査領域の形状や大きさ等の種々の走査領域に関する情報を表示する走査領域情報表示部３３、エイミング光の明るさを表示するエイミング光量表示部３４等が設けられている。
【００１８】
以上のような構成を有するレーザ装置において、その動作について以下に説明する。
【００１９】
術者が装置の電源をＯＮすると、装置はセルフチェック（自己診断）を行った後、STANDBY状態で起動する。STANDBY状態では、STANDBYスイッチ３２ｂが明色表示（例えば、オレンジ）され、READYスイッチ３２ａが暗色表示（例えば、グレー）されるので、術者は容易に作動状態を認識することができる。このSTANDBY状態では、フットスイッチ２１からの照射信号が制御部２０に入力されたとしても、制御部２０はレーザ光源１０に電力を供給しないように制御し、治療レーザ光が出射されない。
【００２０】
術者はＬＣＤパネル２を操作することで走査領域の形状や大きさ、レーザ光の出力等の照射条件を設定する。レーザ照射のための準備が完了したら、READY状態とすべくREADYスイッチ３２ａをＯＮする。制御部２０はREADYスイッチ３２ａからの信号を受信すると、レーザ出力テスト（キャリブレーション）を行い、設定されたレーザ出力が出射されているかを検出した後、装置をREADY状態にする。READY状態では、READYスイッチ３２ａが明色表示（例えば、ブルー）され、STANDBYスイッチ３２ｂが暗色表示（例えば、グレー）される。
【００２１】
READY状態で、術者がフットスイッチ２１を踏込むことにより制御部２０はガルバノミラー１６ａ，１６ｂを駆動制御してレーザ光を走査し、治療部位にレーザ光を照射する。
【００２２】
治療を終えた場合や、レーザ照射を中断して設定等を変更する場合には、タッチパネルとして機能するＬＣＤパネル２に触れることでSTANDBY状態に移行する。この場合、術者又は補助者が触れる場所はＬＣＤパネル２上に配置されたスイッチやキーの位置に限定されず、ＬＣＤパネル２上であればどの場所でもよい。装置がREADY状態にある時、制御部２０はＬＣＤパネル２の画面全面を、READY状態から脱してSTANDBY状態へ移行するためのSTANDBYスイッチとして認識しており、ＬＣＤパネル２上に表示されているSTANDBYスイッチ３２ｂの部分以外が押されたとしても、STANDBYスイッチ３２ｂが押されたのと同様の動作を行う。
【００２３】
このようにREADY状態の場合においては、ＬＣＤパネル２のどこかに触れるという簡単な動作を術者等が行うことで、STANDBYスイッチ３２ｂを探すことなく、容易にSTANDBY状態に移行することができ、操作者の手間を軽減することができる。ＬＣＤパネル２に大型のものを使用することで、その操作性がより向上する。また、患者や術者等に何らかのトラブルがあり、レーザ照射を停止する必要がある場合には、補助者であっても緊急停止用のスイッチ６を探して押すことなく、広い面積のＬＣＤパネル２をタッチするのみでレーザ照射をストップでき、緊急時の対応がし易い。
【００２４】
上述の実施形態では、半導体レーザ光源を用い、STANDBY状態ではレーザ光源に電力を供給しないことでレーザ照射のロックを行ったが、もちろんレーザ照射光路上にシャッターを挿入する構成であっても良い。
【００２５】
【発明の効果】
以上説明したように本発明によれば、READY状態からSTANDBY状態へ容易に移行することができ、オペレータの手間を軽減することができる。また、レーザ照射を不可状態とするスイッチをディスプレイのタッチパネル全面としたので、緊急時の対応にも受容するスイッチの許容面積が大きくなり、即座の対応がし易くなる。
【図面の簡単な説明】
【図１】実施形態であるレーザ装置の外観略図である。
【図２】光学系及び制御系の要部構成の概略図である。
【図３】ＬＣＤパネル２に表示される条件設定画面の一表示例である。
【符号の説明】
２  ＬＣＤパネル
１０  レーザ光源
２０  制御部
２１  フットスイッチ
３２ａ  READYスイッチ
３２ｂ  STANDBYスイッチ
【図１】
0003730454.tif 000002
【図２】
0003730454.tif 000003
【図３】
0003730454.tif 000004